(57)【要約】【課題】壁面に平行な方向に位置ずれしても、コネクタが破損することを回避しつつ、接続端子の接触状態を維持できる太陽光発電パネル用コネクタ構造を提供する。【解決手段】太陽光発電パネル３に配置される給電コネクタ５と、壁面Ｗに設置される受電コネクタ４とを備える太陽光発電パネル用コネクタ構造であって、給電コネクタ５は、給電コネクタ本体５１と、平坦な接触面５２ａを有する給電用接続端子５２と、枠体部５１ｃと、第１シール部材５３とを備え、受電コネクタ４は、受電コネクタ本体４１と、平坦な接触面４２ａを有する受電用接続端子４２と、穴部４１ｂと、付勢部４６とを備え、太陽光発電パネル３の設置により、枠体部５１ｃが穴部４１ｂに遊嵌されるとともに、第１シール部材５３が穴部４１ｂの周囲に当接し、給電用接続端子５２の接触面５２ａが付勢部４７の付勢に抗して受電用接続端子４２の接触面４２ａを押圧することを特徴とする。【選択図】図７
2012043989.tif 000002
【特許請求の範囲】
【請求項１】
建物の壁面に取り付けられる太陽光発電パネルの背面に配置され、前記太陽光発電により発電された電力を供給する給電用接続端子を有する給電コネクタと、
前記給電コネクタに対向するように前記壁面に設置され、前記給電用接続端子に接触して前記電力を受電する受電用接続端子を有する受電コネクタと、を備える太陽光発電パネル用コネクタ構造であって、
前記給電コネクタは、
前記太陽光発電パネルの背面に配置される給電コネクタ本体と、
平坦な接触面を有し、前記壁面側に突出するように前記給電コネクタ本体に支持される前記給電用接続端子と、
前記給電用接続端子の周りを囲むように環状に形成された枠体部と、
前記枠体部の外周側に環状に設けられた第１シール部材と、を備え、
前記受電コネクタは、
前記壁面に設置される受電コネクタ本体と、
平坦な接触面を有し、前記壁面の垂線方向に摺動可能に前記受電コネクタ本体に支持される前記受電用接続端子と、
前記受電コネクタ本体に形成され、その内部に前記受電用接続端子が配置された穴部と、
前記受電用接続端子を前記給電接続端子に向けて付勢する付勢部と、を備え、
前記太陽光発電パネルの設置により、
前記給電コネクタ本体の枠体部が前記受電用コネクタの前記穴部に遊嵌されるとともに、前記給電コネクタ本体の第１シール部材が前記受電用コネクタの前記穴部の周囲に当接し、
前記給電用接続端子の接触面が前記付勢部の付勢に抗して前記受電用接続端子の接触面を押圧することを特徴とする太陽光発電パネル用コネクタ構造。
【請求項２】
前記枠体部は、前記給電用接続端子の接触面よりも前記壁面側に突出していることを特徴とする請求項１に記載の太陽光発電パネル用コネクタ構造。
【請求項３】
前記給電コネクタ本体及び前記受電用コネクタ本体の一方は、前記第１シール部材の上方に延在し、前記給電コネクタ本体及び前記受電用コネクタ本体の他方に当接する第２シール部材をさらに備え、前記第２シール部材は、中央部から両端部に向かうほど前記第１シール部材に近づくように傾斜していることを特徴とする請求項１又は請求項２に記載の太陽光発電パネル用コネクタ構造。
【発明の詳細な説明】
【技術分野】
【０００１】
本発明は、建物の壁面に設置された太陽光発電パネルに設けられるパネル側コネクタ（給電コネクタ）と、建物の壁面側に配置されたランナ側コネクタ（受電コネクタ）と接続構造に関する。
【背景技術】
【０００２】
従来から、電気機器等の受電コネクタにおける接続端子と、給電コネクタにおける接続端子との接触を確実にするため、接続端子を含めた受電コネクタと給電コネクタとのコネクタ構造について、様々な開発がされている。
【０００３】
例えば、下記特許文献１には、接続端子の接触を確実にするため、受電コネクタにおいて、突き当てられる給電コネクタの接続端子に抗して接続端子が付勢するコネクタ構造が開示されている。
【０００４】
また、下記特許文献１には、受電コネクタ側に孔部を形成するとともに、給電コネクタの先端側を先細に形成し、給電コネクタの先細部分の外周面が孔部に当接し摺動されて、孔部中央にある接続端子に接触するように誘導させるコネクタ構造が開示されている。
【先行技術文献】
【特許文献】
【０００５】
【特許文献１】特開２００１−１４３８０２公報
【発明の概要】
【発明が解決しようとする課題】
【０００６】
ところで、近年、ＣＯ２排出量削減の観点から、建物の壁面に太陽光発電パネルを設置して、建物で使用する電力の一部を太陽光発電で賄うことが行われている。
太陽光発電パネルの設置構造として、建物の壁面に太陽光発電パネルを保持するための保持部材と、太陽光発電パネルから電力を受け取る受電コネクタと、を先行して取り付け、その保持部材に太陽光発電パネルを設置すると同時に太陽光発電パネルに設けた給電コネクタを受電コネクタに接続するように構成することが考えられる。
【０００７】
しかし、このような建築構造物は、電気機器に比較して取付精度や位置精度が低いため、給電コネクタと受電コネクタの位置関係がずれてしまうことが考えられる。そのため、太陽光発電パネルのコネクタ構造として、特許文献１に記載のコネクタ構造を採用した場合には、コネクタの突き当て方向のずれには追従できるが、突き当て方向に直交する方向（壁面に平行な方向）のずれに対してはなんら対応することができず、接続端子の接触が困難になる可能性がある。
【０００８】
また、太陽光発電パネルの設置後に、太陽光発電パネルが風力や地震によって壁面に平行な方向に位置ずれを起こした場合には、特許文献１に記載のコネクタ構造は、壁面に平行な方向のずれを許容することができないので、接続端子が接触できないおそれ、または、コネクタが破損したりするおそれがある。
【０００９】
本発明は、前記問題に鑑みて創作された発明であり、太陽光発電パネルが壁面に平行な方向に位置ずれしても、コネクタが破損することを回避しつつ、接続端子の接触状態を維持できる太陽光発電パネル用コネクタ構造を提供することを課題とする。
【課題を解決するための手段】
【００１０】
本発明に係る太陽光発電パネル用コネクタ構造は、建物の壁面に取り付けられる太陽光発電パネルの背面に配置され、前記太陽光発電により発電された電力を供給する給電用接続端子を有する給電コネクタと、前記給電コネクタに対向するように前記壁面に設置され、前記給電用接続端子に接触して前記電力を受電する受電用接続端子を有する受電コネクタと、を備える太陽光発電パネル用コネクタ構造であって、前記給電コネクタは、前記太陽光発電パネルの背面に配置される給電コネクタ本体と、平坦な接触面を有し、前記壁面側に突出するように前記給電コネクタ本体に支持される前記給電用接続端子と、前記給電用接続端子の周りを囲むように環状に形成された枠体部と、前記枠体部の外周側に環状に設けられた第１シール部材と、を備え、前記受電コネクタは、前記壁面に設置される受電コネクタ本体と、平坦な接触面を有し、前記壁面の垂線方向に摺動可能に前記受電コネクタ本体に支持される前記受電用接続端子と、前記受電コネクタ本体に形成され、その内部に前記受電用接続端子が配置された穴部と、前記受電用接続端子を前記給電接続端子に向けて付勢する付勢部と、を備え、前記太陽光発電パネルの設置により、前記給電コネクタ本体の枠体部が前記受電用コネクタの前記穴部に遊嵌されるとともに、前記給電コネクタ本体の第１シール部材が前記受電用コネクタの前記穴部の周囲に当接し、前記給電用接続端子の接触面が前記付勢部の付勢に抗して前記受電用接続端子の接触面を押圧することを特徴とする。
【００１１】
前記する太陽光発電パネル用コネクタによれば、太陽光発電パネルの設置により、受電コネクタの穴部に給電コネクタの枠体部が遊嵌されているため、この穴部は枠体部が壁面に平行な方向に移動できる。
そのため、給電コネクタの枠体部を受電コネクタの穴部に挿入しても、給電コネクタは壁面に平行な方向に移動することができる。
よって、風や地震により太陽光発電パネルが壁面に対して平行方向に移動した場合、給電コネクタも太陽光発電パネルに併せて移動でき、給電コネクタ若しくは受電コネクタが破損するおそれを回避することができる。
また、太陽光発電パネルが所定の位置から壁面に平行な方向にずれて取り付けたとしても、受電コネクタの穴部に給電コネクタの枠体部を挿入することができる。よって、太陽光発電パネルの設置誤差を吸収して、接続端子同士の接触が可能となる。
【００１２】
また、給電コネクタが壁面に平行な方向に移動したとしても、給電用接続端子と受電用接続端子との接触面が平坦な面に形成されているため、給電用接続端子と受電用接続端子との接触を維持することができる。
なお、給電用接続端子の接触面が、付勢部の付勢に抗して受電用接続端子の接触面を押圧することによって接触しているため、給電用接続端子が壁面の垂線方向に移動しても、確実に接触させることが可能となる。
そして、給電コネクタの第１シール部材が受電コネクタの穴部を塞閉する。よって、給電コネクタの枠体部が受電コネクタの穴部内で移動して、枠体部の外周面と孔部の壁面との間には生じた隙間から雨水が浸入するおそれを回避することが可能となる。
【００１３】
また、太陽光発電パネル用コネクタ構造は、前記枠体部は、前記給電用接続端子の接触面よりも前記壁面側に突出していることが好ましい。
【００１４】
前記構成によれば、枠体部の内部に給電用接続端子が収容されるため、太陽光発電パネルの取付時において、給電用接続端子が受電コネクタ本体等に接触して破損するおそれを回避できる。
【００１５】
また、太陽光発電パネル用コネクタ構造は、前記給電用コネクタ本体及び前記受電用コネクタ本体の一方は、前記第１シール部材の上方に延在し、前記給電コネクタ本体及び前記受電用コネクタ本体の他方に当接する第２シール部材をさらに備え、前記第２シール部材は、中央部から両端部に向かうほど前記第１シール部材に近づくように傾斜していることが好ましい。
【００１６】
前記構成によれば、第１シール部材の上方に延在する第２シール部材をさらに備えているので、第１シール部材に雨水などが直接かかることを防止して、保持部材側コネクタ及びパネル側コネクタの接続端子の防水性を向上させることができる。
また、第２シール部材は、中央部から両端部に向かうほど前記第１シール部材に近づくように傾斜しているので、雨水などを効率よく排水することができる。
【発明の効果】
【００１７】
本発明によれば、太陽光発電パネルが壁面に平行な方向に位置ずれしても、コネクタが破損することを回避しつつ、接続端子の接触状態を維持できる太陽光発電パネル用コネクタ構造を提供することができる。
【図面の簡単な説明】
【００１８】
【図１】本実施形態に係る外装材設置構造の一部を分解して示した斜視図である。
【図２】図１のＩ−Ｉ矢視断面図である。
【図３】図２のＡ部を拡大して示した断面図である。
【図４】ランナー側コネクタの構造図であり、（ａ）はソーラーパネル側から見た側面図、（ｂ）は（ａ）のII−II矢視断面図である。
【図５】（ａ）はソーラーパネルの上辺付近の拡大断面図であり、（ｂ）は（ａ）のIII−III矢視断面図である。
【図６】パネル側コネクタの構造図であり、（ａ）は壁面側から見た側面図、（ｂ）は（ａ）のIV−IV矢視断面図である。
【図７】図２のＢ部を拡大して示した断面図である。
【発明を実施するための形態】
【００１９】
本発明の実施形態について、図面を参照して詳細に説明する。説明において、同一の要素には同一の番号を付し、重複する説明は省略する。
また、本実施形態においては、本発明に係る太陽光発電パネル用コネクタ構造とともに、太陽光発電パネル用コネクタ構造が適用される太陽光発電パネル設置構造の詳細についても説明する。
【００２０】
図１は、太陽光発電パネル設置構造の一部を分解して示した斜視図である。
図１に示すように、太陽光発電パネル設置構造１は、太陽電池素子３１を有する複数の太陽光発電パネル３をビルＢＤの壁面Ｗに設置するための構造であり、例えばビルＢＤの窓と窓の間の壁面Ｗを覆ってビルＢＤの外観を装飾するとともに、太陽光発電によってビルＢＤの省エネ化を図るものである。
【００２１】
太陽光発電パネル設置構造１は、基本的に、互いに上下に間隔を隔てて壁面Ｗに取り付けられた一対のランナー２と、この一対のランナー２の間に取り付けられて水平方向に隣接して配置された複数の太陽光発電パネル３と、を備えて構成されている。
本実施形態では、４本のランナー２Ａ，２Ｂ，２Ｃ，２Ｄと、３段の太陽光発電パネル群３Ａ，３Ｂ，３Ｃによって、３つの太陽光発電パネル設置構造１が構成されている。
【００２２】
４つのランナー２のうち、中央の２つのランナー２Ｂ，２Ｃは、それぞれ、上側保持部材と下側保持部材との役割を兼ねている。つまり、中央の２つのランナー２Ｂ，２Ｃは、その下側に設置された太陽光発電パネル３を上側から保持しているとともに、その上側に設置された太陽光発電パネル３を下側から保持している。
【００２３】
また、図１に示すように、各ランナー２は、複数の太陽光発電パネル３とそれぞれ接続するための複数の受電コネクタ４と、これらの複数の受電コネクタ４を（ひいては水平方向に隣接する複数の太陽光発電パネル３を）直列に接続する集電線６と、を有している。
さらに、各太陽光発電パネル３は、壁面Ｗ側の面（背面）の上縁付近に、受電コネクタ４と接続する給電コネクタ５を有している。
なお、「受電コネクタ４」と「給電コネクタ５」とが、本発明に係る太陽光発電パネル用コネクタ構造に相当するものであり、各構成の詳細については後記する。
【００２４】
図２は、図１のＩ−Ｉ矢視断面図である。図３は、図２のＡ部を拡大して示した断面図である。
図２、図３に示すように、ランナー２は、太陽光発電パネル３を壁面Ｗに固定するためのいわゆる下地材（胴縁）として機能するものであり、壁面Ｗに水平方向に延在するように固定されている。ランナー２は、例えばアルミニウム材やステンレス材を押出成形して製造した長尺部材であり、断面視で略四角筒状に形成されている。ランナー２は、略逆Ｌ字形状を呈するファスナー７を介して壁面Ｗに固定されている。
【００２５】
図３に示すように、ランナー２は、ファスナー７を介して壁面Ｗに固定される固定部２１と、基端側が固定部２１に回動自在に固定された回動部２２と、回動部２２の先端側に設けられた上側係合部２３と、回動部２２の先端側であって上側係合部２３の上方に設けられた下側係合部２４と、を備えている。
【００２６】
図３に示すように、固定部２１は、底壁２１ａと、底壁２１ａの壁面Ｗ側の端部から立ち上がる後壁２１ｂと、底壁２１ａの太陽光発電パネル３側の端部から立ち上がる前壁２１ｃと、を備えており、断面視で略凹字形状に形成されている。
後壁２１ｂの上端部には、壁面Ｗと反対側に向かって膨出する膨出部２１ｄが形成されており、この膨出部２１ｄの上部には、断面視で略円弧状を呈するヒンジ溝２１ｅが形成されている。ヒンジ溝２１ｅは、後記する回動部２２の基端側（壁面Ｗ側）を回動自在に支持している。また、前壁２１ｃの上端部に、後記する回動部２２の先端側に当接する当接部２１ｆが形成されている。
【００２７】
図３に示すように、回動部２２は、上壁２２ａと、上壁２２ａの太陽光発電パネル３側の端部から垂れ下がる垂壁２２ｂと、垂壁２２ｂの下端部から太陽光発電パネル３側に延出する延出部２２ｃと、を主に備えており、断面視で略クランク形状に形成されている。
上壁２２ａの壁面Ｗ側の端部には、下方に向かってヒンジ部２２ｄが突出形成されている。ヒンジ部２２ｄの先端部は、断面視で略円形状を呈しており、固定部２１に形成されたヒンジ溝２１ｅに上下方向に回動可能に連結されている。
【００２８】
上側係合部２３は、ランナー２の下側に設置される太陽光発電パネル３の上端部を上側から保持する部分であり、延出部２２ｃの太陽光発電パネル３側の端部に設けられている。
上側係合部２３は、延出部２２ｃの下面から下方に向かって突設された一対の突条２３ａと、この一対の突条２３ａの間に形成された凹溝２３ｂと、によって構成されている。
一対の突条２３ａの先端部は、断面視で略円形状に形成されており、その周面には緩衝用の樹脂皮膜がコーティングされている。凹溝２３ｂは、回動部２２を下向きに回動したときに、後記する太陽光発電パネル３の上辺に設けられた上側被係合部３６（図２参照）に係合し、回動部２２を上向きに回動したときに、上側被係合部３６から離脱するようになっている。
【００２９】
下側係合部２４は、ランナー２の上側に設置される太陽光発電パネル３の下端部を下側から保持する部分であり、延出部２２ｃの太陽光発電パネル３側の端部に設けられている。
下側係合部２４は、延出部２２ｃの上面から上方に向かって突設された一対の突条２４ａと、この一対の突条２４ａの間に形成された凹溝２４ｂと、によって構成されている。
一対の突条２４ａの先端部は、断面視で略円形状に形成されており、その周面には緩衝用の樹脂皮膜がコーティングされている。凹溝２４ｂは、後記する太陽光発電パネル３の下辺に設けられた下側被係合部３７に係合している。
【００３０】
ランナー２は、下向きに回動した回動部２２と固定部２１とによって周囲を囲われた中空部２５を有している。中空部２５の内部には、後記する受電コネクタ４同士を接続する集電線６が配置されている。中空部２５は、図３に二点鎖線で示すように、回動部２２を上向きに回動させることによって長手方向に開放することができるので、集電線６を容易に設置することができる。
【００３１】
また、ランナー２の底壁２１ａの略中央には、長手方向に沿って開口するスリット２１ｈと係止溝２１ｋとが形成されており、ファスナー７を締結するボルトＢを挿通させて係止することができる。
【００３２】
図４は、受電コネクタの構造図であり、（ａ）は太陽光発電パネル側から見た側面図、（ｂ）は（ａ）のII−II矢視断面図である。
図２、図４に示すように、ランナー２の固定部２１の下側には、受電コネクタ４が取り付けられている。
受電コネクタ４は、ランナー２に固定される受電用コネクタ本体４１と、後記する給電用接続端子５２（図６参照）と接続するための受電用接続端子４２と、受電用接続端子４２が配置される穴部４１ｂと、受電用接続端子４２を付勢する付勢部４６とを備えている。
【００３３】
受電用コネクタ本体４１は、受電用接続端子４２を収容する箱状の樹脂製部材であり、その上端部の両側には、ランナー２の長手方向にそれぞれ突出するフランジ部４１ａを有している。
フランジ部４１ａには、固定用のボルトＢを挿通するための貫通孔（図示省略）が形成されている。また、ランナー２の底壁２１ａには、後記する受電コネクタ４の取付位置に対応する部分に、ボルトＢを挿通するための貫通孔（図示省略）が形成されている。
また、受電用コネクタ本体４１は、ランナー２の底壁２１ａに設けた貫通孔とフランジ部４１ａに設けた貫通孔とに挿通したボルトＢにナットＮを螺着することで、ランナー２の固定部２１に締結されている。
【００３４】
穴部４１ｂは、受電用コネクタ本体４１の太陽光発電パネル３側の面に形成された穴であり、後記するが太陽光発電パネル３の取付時に、給電コネクタ５の枠体部５１ｃを挿入するための穴である（図７参照）。
そして、穴部４１ｂは、受電用接続端子４２を壁面Ｗの垂線方向に移動可能に支持する支持部４７を備え、この支持部４７により穴部４１ｂの底面側で受電用接続端子４２を移動可能に支持している。
【００３５】
受電用接続端子４２は、後記する給電用接続端子５２に接触することにより、太陽光発電パネル３により発電された電力を受電するためのものである。
受電用接続端子４２の一端側である接触面４２ａは、図４（ｂ）に示すように、平坦な面を成すように形成されている。
そして、受電用接続端子４２は、支持部４７により受電用接続端子４２の一端側である接触面４２ａが穴部４１ｂの底面から突出するように配置されている。
一方、受電用接続端子４２の他端側４２ｂは、受電用コネクタ本体４１の上面から突出して、ランナー２の底壁２１ａに設けられた開口部（図示省略）を通って、中空部２５内に配置され、集電線６に接続されている。
【００３６】
付勢部４６は、支持部４７に支持される受電用接続端子４２を給電コネクタ側に付勢するためのものである。付勢部４６は、例えば、コイルバネで構成されている。そして、付勢部４６は、受電用接続端子４２に外嵌しており、受電用接続端子４２に形成されたフランジを給電用接続端子５２側に押圧している。これによれば、壁面Ｗ側に向かって、受電用接続端子４２が押圧され、受電用接続端子４２が壁面側に移動した場合に、付勢力により押圧される力に抗するができる。
【００３７】
そのほか、図４（ｂ）に示すように、受電用コネクタ本体４１の壁面Ｗ側の側面Ｙには、プレート４３が取り付けられている。プレート４３の下端部は、受電用コネクタ本体４１よりも下方に突出している。プレート４３の下端部にはねじ孔４３ａが形成されており、調整ねじ４４が螺着されている。調整ねじ４４の先端部は、壁面Ｗに当接している。これにより、風圧によって太陽光発電パネル３が壁面Ｗに向かって押圧されたときに、プレート４３及び調整ねじ４４によって受電用コネクタ本体４１が壁面Ｗに支持されるので、ランナー２と受電用コネクタ本体４１との接続部に作用する荷重が緩和されることになる。なお、調整ねじ４４を回転させることにより、プレート４３と壁面Ｗとの間隔に合わせて、調整ねじ４４のプレート４３からの突出量を調整することができる。
【００３８】
次に、太陽光発電パネル３について説明する。図５（ａ）は太陽光発電パネルの上辺付近の拡大断面図であり、（ｂ）は（ａ）のIII−III矢視断面図である。
図１、図５に示すように、太陽光発電パネル３は、壁面Ｗを被覆して装飾するとともに発電を行う外壁材であり、太陽電池素子３１と、太陽電池素子３１の周囲に取り付けられた枠部材３２と、太陽電池素子３１で発電した電力を出力するための給電コネクタ５と、を主に備えている。
【００３９】
太陽電池素子３１は、受けた光を電力に変換するパネル状の装置である。太陽電池素子３１は、ケーブル３１ａを介して給電コネクタ５に接続されている。
【００４０】
枠部材３２は、図１に示すように、太陽電池素子３１の周囲を保持する四角枠状の金属製の部材である。枠部材３２は、図１及び図５に示すように、４つの枠片３４と、これらを互いに連結する４つの連結片３５と、を備えている。以下では、４つの枠片３４のうち、太陽電池素子３１の上縁部に取り付けられる枠片３４を例にとって説明する。
【００４１】
枠片３４は、図５（ａ）に示すように、太陽電池素子３１の縁部に嵌合する溝部３４１と、連結片３５に嵌合する嵌合部３４２と、ランナー２の上側係合部２３に係合する上側被係合部となる突条３４３と、を有している。枠片３４は、例えばアルミニウム材やステンレス材を押出成形して製造した部材である。図５（ｂ）に示すように、枠片３４の長手方向の端部３４ａは、４５度に傾斜して切り取られている。
【００４２】
溝部３４１は、図５（ａ）に示すように、前壁３４１ａと、前壁３４１ａの上端部から壁面Ｗ側に延出する上壁３４１ｂと、上壁３４１ｂの壁面Ｗ側の端部から斜め下方に延出する後壁３４１ｃと、によって下向きに（太陽電池素子３１に向かって）開口する溝状に形成されている。
嵌合部３４２は、後壁３４１ｃの下端部から壁面Ｗ側に延出する上壁３４２ａと、上壁３４２ａの太陽電池素子３１側の端部から下方に延出する前壁３４２ｂと、上壁３４２ａの壁面Ｗ側の端部から下方に延出する後壁３４２ｃと、前壁３４２ｂの下端部から壁面Ｗ側に延出する返し部３４２ｄと、後壁３４２ｃの下端部から太陽電池素子３１側に延出する返し部３４２ｅと、返し部３４２ｄ，３４２ｅの間に形成されたスリット３４２ｆとを備えている。嵌合部３４２の長手方向の端部には、後記する連結片３５が挿入される。
突条３４３は、嵌合部３４２の上壁３４２ａの壁面Ｗ側の端部から上方に立ち上がる壁状の部分である。
【００４３】
連結片３５は、図５（ｂ）に示すように、枠片３４同士を直角に接続する部材であり、側面視でＬ字形状を呈している。連結片３５は、枠片３４の嵌合部３４２と略等しい断面形状に形成されており、嵌合部３４２に圧入固定されている。
【００４４】
このような枠片３４を、太陽電池素子３１の四方に配置して、連結片３５によって枠片３４同士を直角に連結することによって、四角枠状の枠部材３２が形成される。また、各枠片３４の溝部３４１に、太陽電池素子３１の各縁部が嵌め込まれて固定される。これにより、太陽光発電パネル３が構成されることとなる。
また、太陽電池素子３１の上縁に沿って設置された枠片３４の突条３４３によって、太陽光発電パネル３の上側被係合部３６が構成され、太陽電池素子３１の下縁に沿って設置された枠片３４の突条３４３によって、太陽光発電パネル３の下側被係合部３７が構成されることとなる。
【００４５】
図６は、給電コネクタの構造図であり、（ａ）は壁面側から見た側面図、（ｂ）は（ａ）のIV−IV矢視断面図である。
図６に示すように、給電コネクタ５は、樹脂製の給電用コネクタ本体５１と、受電コネクタ４と接続するための給電用接続端子５２と、給電用接続端子５２の周囲を囲う枠体部５１ｃと、枠体部５１ｃの周囲を囲う第１シール部材５３と、第１シール部材５３の上方に設置された第２シール部材５４と、を備えている。
【００４６】
給電用コネクタ本体５１は、給電用接続端子５２を収容する箱状の樹脂製部材であり、その上端部の両側には、上側の枠片３４の長手方向にそれぞれ突出するフランジ部５１ａを有している。フランジ部５１ａにはボルトＢを挿通するための貫通孔が設けられている。給電用コネクタ本体５１は、ねじ孔を形成したプレート５１ｂを上側の枠片３４の嵌合部３４２に設置し、フランジ部５１ａの貫通孔に挿通したボルトＢをプレート５１ｂのねじ孔に螺着することで、上側の枠片３４の下方に固定されている。
【００４７】
給電用接続端子５２は、太陽電池素子３１により発電された電力を供給するための接続端子である。給電用接続端子５２の一端である接触面５２ａは、図６（ｂ）に示すように、平坦な面を成すように形成されている。
そして、給電用接続端子５２の一端側は、給電用コネクタ本体５１の壁面Ｗ側の側面Ｙから突出しており、給電コネクタ５を受電コネクタ４に接続したときに、受電コネクタ４の受電用接続端子４２に接続するようになっている。
また、給電用接続端子５２の他端側５２ｂは、給電用コネクタ本体５１の下面から突出しており、太陽電池素子３１の出力ケーブルに接続されている。
【００４８】
給電用コネクタ本体５１の壁面Ｗ側の側面Ｙには、給電用接続端子５２の周囲を囲うように突出する枠体部５１ｃが形成されている。
この枠体部５１ｃは、給電コネクタ５を受電コネクタ４に接続したときに、受電コネクタ４の穴部４１ｂに嵌入する部分である。そして、枠体部５１ｃは、受電用コネクタの穴部４１ｂに遊嵌可能となるように、穴部４１ｂの穴の形状よりも小さくに形成されている。
枠体部５１ｃは、給電用接続端子５２の接触面５２ａよりも、壁面Ｗ側に突出するように形成されている。これによれば、枠体部５１ｃの内部に給電用接続端子５２が収容され、給電用接続端子５２が受電コネクタ本体等に接触し、破損するおそれを回避できるからである。
【００４９】
第１シール部材５３は、例えばゴムなどで形成された環状の弾性部材であり、給電用コネクタ本体５１の壁面Ｗ側の側面Ｙに、給電用接続端子５２の周囲（より詳しくは枠体部５１ｃの周囲）を囲うように設置されている。第１シール部材５３は、給電コネクタ５を受電コネクタ４に接続したときに、受電コネクタ４の穴部４１ｂの周囲に当接して両者の隙間をシールするようになっている。
【００５０】
第２シール部材５４は、例えばゴムなどで形成された線状の弾性部材であり、給電用コネクタ本体５１の壁面Ｗ側の側面Ｙであって、第１シール部材５３の上方に設置されている。第２シール部材５４は、給電コネクタ５を受電コネクタ４に接続したときに、受電コネクタ４に当接して両者の隙間をシールするようになっている。第２シール部材５４は、図６（ａ）に示すように、中央部５４ａから両端部５４ｂに向かうほど第１シール部材５３に近づくように傾斜している。そのため、第２シール部材５４の上に到達した雨水を第２シール部材５４の両端部から排出することができ、第１シール部材５３に雨水が到達することを抑制できる。
【００５１】
以上、実施形態の太陽光発電パネル用コネクタ構造と、太陽光発電パネル設置構造１とについて説明した。
次に、受電コネクタ４と給電コネクタ５との接続方法について説明するが、この受電コネクタ４と給電コネクタ５との接続は、太陽光発電パネル設置構造１の組み立てにより接続される。よって、太陽光発電パネル設置構造１の組み立て方法を介して、受電コネクタ４と給電コネクタ５との接続方法を、図１乃至図７を参照して説明する。
なお、図７は、図２のＡ部を拡大して示した断面図である。
【００５２】
はじめに、ランナー２を製造する工場において、ランナー２の下側の所定箇所に複数の受電コネクタ４（図２、図４参照）を設置するとともに、ランナー２の中空部２５に、集電線６を配置し、集電線６を介して複数の受電コネクタ４を直列に接続する。このとき、ランナー２の中空部２５は、回動部２２を上方に回動させることによって、長手方向に広く開放されるので、受電コネクタ４と集電線６との接続や、集電線６の中空部２５への配置を容易に行うことができる。また、集電線６が中空部２５に配置されるので、集電線６と受電コネクタ４との接続箇所の防水性を向上させることができる。
【００５３】
次に、図２に示すように、ビルＢＤの壁面Ｗに、互いに上下に所定の間隔を隔てて少なくとも１対のランナー２を設置する。このとき、ランナー２の設置箇所に対応する部分に予めファスナー７を設置する。
【００５４】
次に、図２、図３に示すように、１対のランナー２のうち、下側保持部材となる下側のランナー２の下側係合部２４の凹溝２４ｂに、太陽光発電パネル３の下側被係合部３７となる突条３４３（図５参照）を挿入する。これにより、太陽光発電パネル３は、下側保持部材となるランナー２によって下側から保持されることとなる。
【００５５】
このとき、１対のランナー２のうち、上側保持部材となる上側のランナー２の回動部２２を上向きに回動させておくと、太陽光発電パネル３の上辺が、上側のランナー２に当接することがない。そのため、下側のランナー２の下側係合部２４と太陽光発電パネル３の下側被係合部３７とを容易に係合させることができる。
【００５６】
次に、図２、図４、図６、図７に示すように、太陽光発電パネル３の給電コネクタ５を、ランナー２の受電コネクタ４に押し付けるようにして、給電コネクタ５の枠体部５１ｃを受電コネクタ４の穴部４１ｂに挿入する。
このとき、枠体部５１ｃは、穴部４１ｂの穴の形状よりも小さく形成されているため、枠体部５１ｃは、穴部４１ｂに遊嵌した状態となる。
そして、枠体部５１ｃ内の給電用接続端子５２の接触面５２ａが、付勢部４６の付勢力に抗しながら、穴部４１ｂの受電用接続端子４２の接触面４２ａに接触する。
【００５７】
さらに、給電コネクタ５の壁面Ｗ側の側面Ｙに設けられた第１シール部材５３及び第２シール部材５４が、受電コネクタ４に押し付けられて、給電用接続端子５２、４２の周囲がシールされることとなる。
【００５８】
最後に、図２、図３に示すように、上側のランナー２の回動部２２を下向きに回動させることにより、上側係合部２３の凹溝２３ｂに、上側被係合部３６を構成する突条３４３（図５参照）を嵌め入れる。これにより、太陽光発電パネル３は、上側保持部材となるランナー２によって上側から保持されることとなり、太陽光発電パネル３が壁面Ｗに固定される。
【００５９】
以上、太陽光発電パネル設置構造１の組み立て方法を介して、受電コネクタ４と給電コネクタ５との接続方法を説明した。
本実施形態の太陽光発電パネル用コネクタ構造によれば、図７に示すように、枠体部５１ｃが穴部４１ｂに対して遊嵌した状態となっている。
そのため、風や地震により壁面Ｗに対し平行方向に移動する力が太陽光発電パネル３に作用したとしても、枠体部５１ｃを備える給電コネクタ５は、太陽光発電パネル３とともに移動することができ、給電コネクタ５若しくは受電コネクタ４のいずれかが破損することがない。
また、枠体部５１ｃが穴部４１ｂの穴の形状よりも小さくに形成されているため、太陽光発電パネル３の取付において、所定の位置よりも壁面Ｗの平行方向にずれたとしても、受電コネクタの穴部に給電コネクタの枠体部を挿入することができる。そのため、太陽光発電パネルの設置誤差を吸収して、接続端子同士の接触が可能となる。
【００６０】
本実施形態の太陽光発電パネル用コネクタ構造において、枠体部５１ｃ内の給電用接続端子５２が、付勢部４６の付勢力に抗しながら、穴部４１ｂの受電用接続端子４２に接触している。
そのため、風や地震により壁面Ｗに対し垂直方向に移動する力が太陽光発電パネル３に作用し、給電用接続端子５２が壁面Ｗに対し垂直方向に移動したとしても、付勢部４６の付勢力により受電用接続端子４２も併せて移動する。
よって、太陽光発電パネル３に壁面Ｗに対し垂直方向に移動する力が作用しても、給電用接続端子５２と受電用接続端子４２との接触を確保することができる。
【００６１】
また、給電用接続端子５２の接触面５２ａと受電用接続端子４２の接触面４２ａは、平坦面に形成されている。そのため、太陽光発電パネル３とともに給電コネクタ５が壁面Ｗに平行な方向に移動しても、給電用接続端子５２の接触面５２ａと受電用接続端子４２の接触面４２ａの接触を維持することができる。
【００６２】
給電コネクタ５の壁面Ｗ側の側面Ｙに設けられた第１シール部材５３及び第２シール部材５４が、受電コネクタ４に押し付けられて、給電用接続端子５２、４２の周囲がシールされることとなる。
【００６３】
以上、本発明の実施形態について図面を参照して詳細に説明したが、本発明はこれに限定されるものではなく、発明の主旨を逸脱しない範囲で適宜変更してもよい。
【００６４】
例えば、受電コネクタ４の接続端子４２の接触面４２ａ及び給電コネクタ５の接続端子５２の接触面５２ａの一方を、平坦面でなく、曲面或いは球面と成るように形成してもよい。
当該構成によっても、太陽光発電パネル３とともに給電コネクタ５が壁面Ｗに平行な方向に移動しても、受電コネクタ４の接続端子４２と給電コネクタ５の接続端子５２の接触を確保することができる。
さらに、受電コネクタ４の接続端子４２の接触面４２ａに対して、給電コネクタ５の接続端子５２の接触面５２ａが接触する方向が、壁面Ｗの垂線方向に対して斜めになったとしても、受電コネクタ４の接続端子４２と給電コネクタ５の接続端子５２とが確実に接触することができる。
【符号の説明】
【００６５】
１      太陽光発電パネル設置構造
２（２Ａ、２Ｂ）  ランナー
３      太陽光発電パネル
３Ａ    太陽光発電パネル群
４      受電コネクタ
５      給電コネクタ
６      集電線
７      ファスナー
２１    固定部
２２    回動部
２３    上側係合部
２４    下側係合部
２５    中空部
３１    太陽電池素子
３１ａ  ケーブル
３２    枠部材
３４    枠片
３５    連結片
３６    上側被係合部
３７    下側被係合部
４１    受電用コネクタ本体
４１ａ  フランジ部
４１ｂ  穴部
４２    受電用接続端子
４２ａ  接触面
４３    プレート
４３ａ  孔
４６    付勢部
４７    支持部
５１    給電用コネクタ本体
５１ａ  フランジ部
５１ｂ  プレート
５１ｃ  枠体部
５２    給電用接続端子
５２ａ  接触面
５３    第１シール部材
５４    第２シール部材
５４ａ  中央部
５４ｂ  両端部
３４１  溝部
３４２  嵌合部
【図１】
2012043989.tif 000003
【図２】
2012043989.tif 000004
【図３】
2012043989.tif 000005
【図４】
2012043989.tif 000006
【図５】
2012043989.tif 000007
【図６】
2012043989.tif 000008
【図７】
2012043989.tif 000009